(57)【特許請求の範囲】
【請求項１】
電気融着継手に付属されたバーコードから読込んだ情報に基づき通電を行い、電気融着継手と樹脂管との融着を行う電気融着継手用通電制御装置であって、
電気融着継手の製造情報および融着情報を、通電時間が一定時間以下であったときは記録せず、当該一定時間を超えたときは記録する記憶装置を備えることを特徴とする電気融着継手用通電制御装置。
【請求項２】
前記バーコードから読込んだ情報には規定時間が含まれ、前記一定時間は、前記規定時間と同じ又はそれより短い時間であることを特徴とする請求項１記載の電気融着継手用通電制御装置。
【請求項３】
電気融着継手に付属されたバーコードから読込んだ情報に基づき通電を行うことで電気融着継手と樹脂管との融着を行う電気融着継手用通電制御装置の制御方法であって、
前記電気融着継手用通電制御装置が備える記憶装置に、電気融着継手の製造情報および融着情報を、通電時間が一定時間以下であったときは記録せず、当該一定時間を超えたときは記録することを特徴とする電気融着継手用通電制御装置の制御方法。
【請求項４】
前記バーコードから読込んだ情報および前記記憶装置に記録される電気融着継手の製造情報には、製造業者名、継手種類、呼び径および製造番号を含む４項目以上が含まれ、前記バーコードから読込んだ情報と、前記記憶装置に記録された過去に融着を行った電気融着継手の製造情報との照合を行い、製造業者名、継手種類、呼び径および製造番号を含む４項目以上が重複している場合には、通電不可の判断を行うことを特徴とする請求項３記載の電気融着継手用通電制御装置の制御方法。
【請求項５】
前記バーコードから読込んだ情報および前記記憶装置に記録される電気融着継手の製造情報には、連続した番号である製造番号が含まれることを特徴とする請求項３又は４記載の電気融着継手用通電制御装置の制御方法。
【発明の詳細な説明】
【０００１】
【発明の属する技術分野】
本発明は熱可塑性樹脂管の融着接続に用いる電気融着継手(継手内部に電熱線を埋設した継手)用通電制御装置及びその制御方法に関するものである。
【０００２】
【従来の技術】
従来、ポリエチレン管などの熱可塑性樹脂管の融着接続には、電気融着継手が一般的に用いられている。電気融着継手に付属するバーコードには、製品の製造履歴に関する製造情報、融着時間、電熱線に印加する電圧値などの融着条件に関する情報  などが記載されており、そのバーコードから読込んだ情報に従い、通電制御装置により通電を行うバーコード方式電気融着継手が一般的に用いられている。
【０００３】
また、バーコード式電気融着継手の融着に用いられる通電制御装置には、継手製品の製造情報、実際に電熱線に投入された電気エネルギー実績などの融着結果情報、融着実施時の融着条件を、通電制御装置内の記憶装置に記録しておき、この記録融着情報データを配管施工後の履歴追跡に用いる電気融着継手用通電制御装置が一般的に用いられている。
【０００４】
また、融着接続品質不良の防止を目的として、バーコード内に記載されている製造情報の中で、融着を行った電気融着継手の製造番号を、通電制御装置内の記憶装置部に記録しておき、新規に読取ったバーコード内情報内に記載の製造番号と照合して重複を検知し、重複した場合は通電不可と判断する再通電防止機能が行われている。(特開平９-２４２９６９号公報)。
【０００５】
【発明が解決しようとする課題】
配管施工後の履歴追従を実施しようとした場合、通電制御装置内記憶装置に記録する融着情報データは、融着完了毎に莫大なデータが記録されることとなる。記憶装置自体の容量に制限がある為に、情報量が記録容量を越える場合には、蓄積した時期が早いデータから順に消去するか、若しくは外部記憶装置に本融着情報データを転送する必要が発生する。そこで、本発明によれば、融着情報データとして記憶装置に記録する融着情報データは、一定時間以下の時間で通電が終了した電気融着継手に対しては、電気融着継手の製造情報ならびに融着結果などの融着情報データを記録せずに、一定時間を超えて通電を行った電気融着継手の融着情報データを通電制御装置内記憶部に記録する。
【０００６】
実際の施工現場においては、外的な要因などにより、電気融着継手の通電開始直後に、短時間で通電が終了してしまうことが発生することから、これらの融着情報データは記憶装置に記録しないことで、記憶装置の記憶容量を効率的に使用することが可能となる。
【０００７】
また、電気融着継手用バーコードとして、現在一般的に用いられている記述方法としては３２桁バーコードであり、その中で製造番号は、Ｄ(１０〜１５桁)の６桁で記述することとなっている（図３）。その製造番号に製造年月日を用いた場合、一日に数百個単位で製造可能な電気融着継手においては、同一番号で重複する電気融着継手が多いために、上記再通電防止機能を通電制御装置に搭載した場合、製造番号の重複が頻繁に発生するために、通電不可が多発してしまう。
【０００８】
また、製造番号に連続番号を用いて、製造番号のみ重複を検知する照合に使用した場合には、６桁の番号では１００万個で一巡してしまう為、１年間での製造個数を考慮した場合、頻繁に一巡してしまい、本方式も通電不可との状況が、多発することとなる。
【０００９】
本発明の目的は、上述の課題を解決することができる電気融着用通電制御装置およびその制御方法を提供することにある。
【００１０】
【課題を解決するための手段】
請求項１記載の発明は、電気融着継手に付属されたバーコードから読込んだ情報に基づき通電を行い、電気融着継手と樹脂管との融着を行う電気融着継手用通電制御装置であって、電気融着継手の製造情報および融着情報を、通電時間が一定時間以下であったときは記録せず、当該一定時間を超えたときは記録する記憶装置を備えることに特徴を有するものである。
【００１１】
請求項２記載の発明は、前記バーコードから読込んだ情報には規定時間が含まれ、前記一定時間は、前記規定時間と同じ又はそれより短い時間であることに特徴を有するものである。
【００１２】
請求項３記載の発明は、電気融着継手に付属されたバーコードから読込んだ情報に基づき通電を行うことで電気融着継手と樹脂管との融着を行う電気融着継手用通電制御装置の制御方法であって、前記電気融着継手用通電制御装置が備える記憶装置に、電気融着継手の製造情報および融着情報を、通電時間が一定時間以下であったときは記録せず、当該一定時間を超えたときは記録することに特徴を有するものである。
【００１３】
請求項４記載の発明は、前記バーコードから読込んだ情報および前記記憶装置に記録される電気融着継手の製造情報には、製造業者名、継手種類、呼び径および製造番号を含む４項目以上が含まれ、前記バーコードから読込んだ情報と、前記記憶装置に記録された過去に融着を行った電気融着継手の製造情報との照合を行い、製造業者名、継手種類、呼び径および製造番号を含む４項目以上が重複している場合には、通電不可の判断を行うことに特徴を有するものである。
請求項５記載の発明は、前記バーコードから読込んだ情報および前記記憶装置に記録される電気融着継手の製造情報には、連続した番号である製造番号が含まれることに特徴を有するものである。
【００１４】
本発明の通電制御装置は、一定時間以下で通電が終了した融着は通電制御装置内記憶部に記録せずに、一定時間を超えて通電した電気融着継手の融着情報を記憶することで、効率良く記憶装置内に融着情報を記録する事が可能となる。また、同一バーコード情報による再通電を防止する為に、通電制御装置内記憶部の中から過去に融着を行った電気融着継手の記録の中から、４項目に関して新たに読込んだバーコード情報と照合し重複を検出することで、単に製造番号のみの重複を検出する場合に比べ製造業者（製造メーカー）、継手種類、呼び径、毎に製造番号を設定可能となり、１００万個を一巡するのに要する継手個数は増大する事となる。接合品質不良の原因となる再通電を防止する事が可能となる。
【００１５】
【発明の実施の形態】
次に、この発明の実施の形態を図面を参照しながら説明する。
【００１６】
図１は、本発明の電気融着継手用通電制御装置の概略説明図、図２は、本発明の作業手順を示すフローチャート、図３は、バーコードのデータ記述を示す図である。
【００１７】
図面に示すように、本発明は電気融着継手１（以下「継手」という）に付属したバーコード２と、電気融着継手用通電制御装置３を使用するものである。継手に通電制御装置の出力ケーブルを継手電極に接続する。継手１に付属するバーコード２をバーコード情報読取り装置４によりバーコード情報を読取る。通電制御装置の通電開始釦を押すことで通電が開始される。通電時間は上記バーコード内に記述された規定の時間通電される。規定時間又は規定時間より短い時間を超えて通電が完了した継手の製造データ、融着情報は通電制御装置内記憶部に記録される。
【００１８】
継手１に付属するバーコードは現在、一般的に用いている、３２桁のバーコードを用いる（図３）。Ｄ(１０〜１５桁目)に記述する製造番号は連続番号を記述する。あるいは連続番号以外の製造番号を記述してもよい。
【００１９】
通電制御装置内記憶部に記録された項目の中から、Ａ：製造業者名、Ｂ：継手種類、Ｃ：呼び径、Ｄ：製造番号などの４項目以上を呼び出して、過去に融着した電気融着継手の通電装置内記憶部に記録されている融着情報の中から４項目以上を照合して重複を検出する。重複を検出した場合は、同一の過去に融着したバーコードと同一のバーコードを２回読込んでいるか、若しくは一回以上規定時間以上の通電が行われたとの判断となり通電不可となる。
【００２０】
【発明の効果】
本発明によれば、通電制御装置内の記憶部の容量が大きくならずに過去の電気融着継手の融着履歴を記録することが可能であり、且つ再通電防止機能を通電制御装置に搭載することが可能である有用な効果が得られる。
【図面の簡単な説明】
【図１】本発明の電気融着継手用通電制御装置の概略説明図である。
【図２】本発明の作業手順を示すフローチャートである。
【図３】バーコードのデータ記述を示す図である。
【符号の説明】
１：電気融着継手
２：バーコード
３：電気融着継手用通電制御装置
４：バーコード情報読取り装置
【図１】
0003853625.tif 000002
【図２】
0003853625.tif 000003
【図３】
0003853625.tif 000004